(57)【要約】【課題】協約ブレーカの各定格で共通に使用可能であり、かつ、ブレーカの付属品を同梱させる十分な空間が確保され、かつ、同梱した付属品の重みや輸送に伴う振動により、内蓋が下方に折り曲げられてブレーカ上面のラベル面と接触する問題を回避する。【解決手段】ブレーカ本体２を収納する配電機器用梱包箱であって、ブレーカ本体２の上側を塞ぐ外蓋と、ブレーカ本体２の下側を塞ぐ底部と、ブレーカ本体２の各側面を塞ぐ周壁部４とが一体形成された梱包箱本体１と、この梱包箱本体１に一体形成され、外蓋とブレーカ本体２との間に位置して、ブレーカ本体２の付属品を収納する付属品収納部６と、ブレーカ本体２を収納する配電機器収納部７とを区画する内蓋８とを備えるものとし、内蓋８は、ブレーカ本体２の上面に備えられたラベル面を覆う隔壁部１０を有し、この隔壁部１０とラベル面との間には空間部１６を形成した。【選択図】図１
2015134625.tif 000002
【特許請求の範囲】
【請求項１】
配電機器を収納する配電機器用梱包箱であって、
前記配電機器の上側を塞ぐ外蓋と、前記配電機器の下側を塞ぐ底部と、前記配電機器の各側面を塞ぐ周壁部とが一体形成された梱包箱本体と、
この梱包箱本体に一体形成され、前記外蓋と前記配電機器との間に位置して、前記配電機器の付属品を収納する付属品収納部と、前記配電機器を収納する配電機器収納部とを区画する内蓋とを備えるものとし、
この内蓋は、前記配電機器の上面を覆う隔壁部を有し、
この隔壁部と前記配電機器の上面との間に空間部を形成したことを特徴とする配電機器用梱包箱。
【請求項２】
前記内蓋は、前記隔壁部と高さ方向に段差を設けて形成された支持部を有し、
この前記支持部は、前記配電機器の端子部間に設けられた端子間隔壁部に当接するように配置されて、前記隔壁部を支持することを特徴とする請求項１記載の配電機器用梱包箱。
【請求項３】
前記内蓋は、
前記周壁部の上端を垂直下方に折り曲げて延設され、前記隔壁部と前記支持部に連なる折り返し部と、
前記隔壁部と前記支持部を挟んで、該折り返し部と平行配置され、前記隔壁部と前記支持部に連なる押え部とを備えることを特徴とする請求項２記載の配電機器用梱包箱。
【請求項４】
前記隔壁部に、前記配電機器のハンドルが貫通する貫通口を形成し、この貫通口を貫通して前記付属品収納部に配置されたハンドルを囲むように、端子カバーを前記付属品収納部に収納することを特徴とする請求項３記載の配電機器用梱包箱。
【発明の詳細な説明】
【技術分野】
【０００１】
本発明は、配電機器を収納するための配電機器用梱包箱に関するものである。
【背景技術】
【０００２】
ブレーカ等の配電機器は、耐衝撃強度が比較的弱いため、製品搬送時の損傷等を回避するために、梱包箱に収納された状態で持ち運びされる。
【０００３】
従来の梱包箱としては、図８、図９に示すように、１枚の厚紙を折り曲げて、内蓋１０１を形成し、内蓋１０１には、ブレーカ本体１０２の操作ハンドル１０３を貫通させる貫通孔１０４を形成するとともに、内蓋１０１と外蓋１０５との間に形成される空間部１０６を、ブレーカの付属品を同梱させる空間として使用するタイプのものが一般に知られている。
【０００４】
しかし、上記の梱包箱では、付属品の重みや、輸送に伴う振動により、内蓋１０１が下方に折り曲げられてブレーカ上面のラベル面と接触し、ラベル面が掠れたり、内蓋１０１の接触面から紙粉が発生する等の問題があった。当該問題を回避する手段として、内蓋１０１とブレーカ上面のラベル面との間に緩衝材を配設することも考えられるが、緩衝材の配設は、コスト高になり、好ましくない。
【０００５】
また、上記の梱包箱では、付属品の重みを軽減するために、通常、端子部を覆う端子カバー１０７は、所定位置に取り付けた状態で梱包されるが、端子カバー１０７のサイズは、協約ブレーカの定格ごとに大きさが異なるため、協約ブレーカの定格ごとに専用の梱包箱が必要となり、利便性を欠くという問題もあった。
【０００６】
なお、協約ブレーカでは、定格が異なっても、ブレーカ本体のサイズは同一であるため、例えば特許文献１のように、１枚の紙材を折曲げて形成し、この端子押え部で端子カバーを取り外した状態の端子部を押えることにより、協約ブレーカの定格に関わりなく使用可能とする技術も開示されている。
【０００７】
しかし、特許文献１の技術では、ブレーカ本体を収容する梱包箱内に、取り外した端子カバー等、ブレーカの付属品を同梱させる空間が確保できず、不都合である。
【先行技術文献】
【特許文献】
【０００８】
【特許文献１】特開２００２−１９３３７６号公報
【発明の概要】
【発明が解決しようとする課題】
【０００９】
本発明の目的は前記した従来の問題点を解決し、１枚の厚紙を折り曲げて形成される配線機器用梱包箱において、協約ブレーカの各定格で共通に使用可能であり、かつ、取り外した端子カバー等、ブレーカの付属品を同梱させる十分な空間が確保され、かつ、同梱した付属品の重みや輸送に伴う振動により、内蓋が下方に折り曲げられてブレーカ上面のラベル面と接触する問題を回避可能な技術を提供することである。
【課題を解決するための手段】
【００１０】
上記課題を解決するためになされた本発明は、配電機器を収納する配電機器用梱包箱であって、前記配電機器の上側を塞ぐ外蓋と、前記配電機器の下側を塞ぐ底部と、前記配電機器の各側面を塞ぐ周壁部とが一体形成された梱包箱本体と、この梱包箱本体に一体形成され、前記外蓋と前記配電機器との間に位置して、前記配電機器の付属品を収納する付属品収納部と、前記配電機器を収納する配電機器収納部とを区画する内蓋とを備えるものとし、この内蓋は、前記配電機器の上面を覆う隔壁部を有し、この隔壁部と前記配電機器の上面との間に空間部を形成したことを特徴とするものである。
【００１１】
請求項２記載の発明は、請求項１記載の配電機器用梱包箱において、前記内蓋は、前記隔壁部と高さ方向に段差を設けて形成された支持部を有し、この前記支持部は、前記配電機器の端子部間に設けられた端子間隔壁部に当接するように配置されて、前記隔壁部を支持することを特徴とするものである。
【００１２】
請求項３記載の発明は、請求項２記載の配電機器用梱包箱において、前記内蓋は、前記周壁部の上端を垂直下方に折り曲げて延設され、前記隔壁部と前記支持部に連なる折り返し部と、前記隔壁部と前記支持部を挟んで、該折り返し部と平行配置され、前記隔壁部と前記支持部に連なる押え部とを備えることを特徴とするものである。
【００１３】
請求項４記載の発明は、請求項３記載の配電機器用梱包箱において、前記隔壁部に、前記配電機器のハンドルが貫通する貫通口を形成し、この貫通口を貫通して前記付属品収納部に配置されたハンドルを囲むように、端子カバーを前記付属品収納部に収納することを特徴とするものである。
【発明の効果】
【００１４】
本発明では、配電機器を収納する配電機器用梱包箱が、配電機器の上側を塞ぐ外蓋と、配電機器の下側を塞ぐ底部と、配電機器の各側面を塞ぐ周壁部とが一体形成された梱包箱本体と、この梱包箱本体に一体形成され、外蓋と配電機器との間に位置して、配電機器の付属品を収納する付属品収納部と、配電機器を収納する配電機器収納部とを区画する内蓋とを備えるものとし、この内蓋は、配電機器の上面を覆う隔壁部を有し、この隔壁部と配電機器の上面との間に空間部を形成する構造を採用している。このように、本発明では、付属品収納部を形成することより、ブレーカの付属品を同梱させる十分な空間を確保するとともに、隔壁部と配電機器の上面との間に空間部を形成することにより、同梱した付属品の重みや輸送に伴う振動により、内蓋が下方に折り曲げられてブレーカ上面のラベル面と接触する問題を回避可能とした。
【００１５】
請求項２に係る発明のように、内蓋は、隔壁部と高さ方向に段差を設けて形成された支持部を有し、この支持部は、配電機器の端子部間に設けられた端子間隔壁部に当接するように配置されて、隔壁部を支持する構造とすることにより、付属品収納部に収納された付属品の荷重が隔壁部の上面にかかった状態においても、隔壁部の変形を防止し、隔壁部と配電機器の上面との間に形成される空間部を維持することができる。
【００１６】
請求項４に係る発明のように、隔壁部に、配電機器のハンドルが貫通する貫通口を形成し、この貫通口を貫通して付属品収納部に配置されたハンドルを囲むように、端子カバーを付属品収納部に収納することにより、外部からハンドル方向に力が加わっても、端子カバーにより内蓋がつぶれることなく保護されるため、従来使用していたハンドルを保護するための別部材としての芯部材が不要となり、コスト減となる。
【図面の簡単な説明】
【００１７】
【図１】本実施形態の一部切欠斜視図である。
【図２】本実施形態の斜視図である。
【図３】本実施形態の内蓋の展開図である。
【図４】本実施形態の一部切欠斜視図である。
【図５】本実施形態の断面図である。
【図６】本実施形態の端子カバー同梱時を示す一部切欠斜視図である。
【図７】本実施形態の端子カバー同梱時を示す斜視図である。
【図８】従来の梱包箱を示す一部切欠斜視図である。
【図９】従来の梱包箱を示す断面図である。
【発明を実施するための形態】
【００１８】
以下に本発明の好ましい実施形態を示す。図１に示す梱包箱本体１は、紙材であり、配電機器であるブレーカ本体２を収納するためのものである。梱包箱本体１は、図２のようにブレーカ本体２の上側を塞ぐ外蓋３と、ブレーカ本体２の下側を塞ぐ図示しない底部と、ブレーカ本体２の各側面を塞ぐ周壁部４とが一体形成されたものであり、ブレーカ本体２の梱包時に、外蓋３と、底部と、周壁部４とが各々折り曲げられることにより、箱体をなすものである。さらにこの梱包箱本体１には、外蓋３の閉塞時に、外蓋３とブレーカ本体２との間に位置する内蓋８が図１のように一体形成されており、この内蓋８は、梱包箱本体１の内部空間を、図６のようにブレーカ本体２の付属品である端子カバー５を収納する付属品収納部６と、ブレーカ本体２を収納する配電機器収納部７とに区画するものである。このように付属品収納部６を形成することより、端子カバー５を同梱させる十分な空間を確保することができる。
【００１９】
内蓋８は、図２のように外蓋３が延設される面と対向する面から延設されたものである。また、内蓋８は、図１に示すように、後述する折り返し部９と、隔壁部１０と、支持部１１と、押え部１２とを備えるものであり、図３のように１枚の紙材に切り込み部１３を形成し、また各部を点線箇所で折り曲げることにより形成されるものである。これにより、接着作業が不要となり、部品点数の削減が可能となり、コスト減となるものである。なお、この内蓋８は別部材として形成してもよい。
【００２０】
折り返し部９は、図２のように外蓋３が延設される面と対向する面の上端に位置する上端辺１４から、略１８０度折り曲げて延設されたものであり、図１のように、後述する隔壁部１０と支持部１１とに連なるものである。なお、支持部１１は隔壁部１０と高さ方向に段差を設けて形成されたものであるために、折り返し部９は凹形状である。
【００２１】
隔壁部１０は、図４のように、ブレーカ本体２の上面に備えられたラベル面１５との間に空間部１６を形成する高さ位置に、折り返し部９から略９０度折り曲げ形成されて、ラベル面１５を覆うものである。これにより、図５のように隔壁部１０とラベル面１５との間に空間部１６が形成される。したがって、前述のように付属品収納部６を形成し、端子カバー５を同梱させる十分な空間を確保するとともに、隔壁部１０とラベル面１５との間に空間部１６を形成することにより、同梱した端子カバー５の重みや輸送に伴う振動により、内蓋８が下方に折り曲げられてブレーカ上面のラベル面１５と接触する問題を回避可能とした。
【００２２】
支持部１１は、図４のように、ブレーカ本体２の端子間隔壁部１７の上部と略同一の高さ位置で、折り返し部９から略９０度折り曲げ形成されて、ブレーカ本体２の電源側及び負荷側の両端子部を覆うものである。これにより、付属品収納部６に収納された端子カバー５の荷重が隔壁部１０の上面にかかった状態においても、支持部１１が端子間隔壁部１７の上部と当接して、隔壁部１０をブレーカ本体２に対して支持することができ、隔壁部１０の変形を防止し、隔壁部１０とラベル面１５との間に形成される空間部１６を維持することができる。なお、支持部１１は、端子間隔壁部１７等、ラベル面１５に対して高さ方向にずらしてブレーカ本体２に設けられた段部と当接して、隔壁部１０をブレーカ本体２に対して支持するものであればよい。
【００２３】
前述のように支持部１１は隔壁部１０と高さ方向に段差を設けて形成されたものであるために、当該箇所には隙間が形成されることとなり、この隙間に指を入れて内蓋８を取外すことが可能である。これにより、図８に示す従来技術のように、指掛け部１０８を形成する必要がなくなる。
【００２４】
押え部１２は、図１のように、隔壁部１０と支持部１１を挟んで、折り返し部９と平行配置され、隔壁部１０と支持部１１とから略９０度折り曲げられて形成される。なお、押え部１２は、隔壁部１０と支持部１１との高さ位置の違いから、凸形状である。また、押え部１２がブレーカ本体２の一方の側面を押えるようにして、ブレーカ本体２を収納するものとした。折り返し部９および押え部１２が隔壁部１０と支持部１１を連結することにより、隔壁部１０を支持部１１に対して支持することが可能となり、空間部１６を保持することができる。
【００２５】
図１のように、隔壁部１０にはブレーカ本体２のハンドル１８が貫通する貫通口１９が形成されており、付属品収納部６に配置されたハンドル１８を囲むよう、図６に示すように、端子カバー５を付属品収納部６に収納するものとした。これにより、図７のように端子カバー５を収納でき、定格による端子カバーのサイズの違いに影響されることもなく、梱包箱本体１を一定の縦横サイズとすることができるため、異なる定格の協約ブレーカ間で梱包箱本体１を共有することが可能となり、低コスト化が実現できる。また、外部からハンドル１８方向に力が加わっても、端子カバー５により内蓋８がつぶれることなく保護されるため、従来使用していたハンドルを保護するための別部材としての芯部材が不要となり、コスト減となる。なお、付属品収納部６には端子カバー５以外のその他の部品等も収納可能である。
【００２６】
本実施形態においては、ブレーカ本体２を収納するものとしたが、例えば開閉器や端子台等の配電機器を収納することも可能である。また、本実施形態は隔壁部１０とラベル面１５との接触を防止するものとしたが、ラベル面１５に限らず、傷や塗装剥がれを防止したい配電機器の上面箇所にも本発明を適用することができる。
【符号の説明】
【００２７】
１  梱包箱本体
２  ブレーカ本体
３  外蓋
４  周壁部
５  端子カバー
６  付属品収納部
７  配電機器収納部
８  内蓋
９  折り返し部
１０  隔壁部
１１  支持部
１２  押え部
１３  切り込み部
１４  上端辺
１５  ラベル面
１６  空間部
１７  端子間隔壁部
１８  ハンドル
１９  貫通口
１０１  内蓋
１０２  ブレーカ本体
１０３  ハンドル
１０４  貫通口
１０５  外蓋
１０６  空間部
１０７  端子カバー
１０８  指掛け部
【図１】
2015134625.tif 000003
【図２】
2015134625.tif 000004
【図３】
2015134625.tif 000005
【図４】
2015134625.tif 000006
【図５】
2015134625.tif 000007
【図６】
2015134625.tif 000008
【図７】
2015134625.tif 000009
【図８】
2015134625.tif 000010
【図９】
2015134625.tif 000011